(57)【要約】【課題】  帽子、衣類掛け等の壁取付部品として利用でき、ドライバ無しで容易に壁に取り付けることができ、ネジの長さ、太さも自由に選択することができるキャップとネジの組合せ体を提供する。【解決手段】キャップ（１）とネジ（３０）とから組合せ体（Ｃ）を構成し、キャップ（１）を回すとネジを締めつけることができる。キャップ（１）を、コア体（２）とキャップ体（３）とから構成する。コア体（２）の外周面（５）には雄ネジ（６）を、キャップ体（３）の内周面（１４）には雌ネジ（１５）を形成する。コア体（２）にはネジ挿通孔（９）を明け、キャップ体（３）にはドライバの先端形状を呈する係合部（１８）を設ける。ネジ（３０）をネジ挿通孔（９）に挿入して、キャップ体（３）をコア体（２）に螺合させると、係合部（１８）がネジ（３０）の十字穴（３２）に係合し、組合せ体（Ｃ）が得られる。【選択図】図１
2011163378.tif 000002
【特許請求の範囲】
【請求項１】
外周面に雄ネジが形成されているコア体と、内周面に雌ネジが形成されているキャップ体とからなるキャップと、頭部に十字穴が形成されているネジとの組合せ体であって、
前記コア体の軸心方向には、ネジ挿通孔が明けられていると共に、前記ネジ挿通孔の開口部には拡径部が形成されており、
前記キャップ体の内側の底面には、プラスドライバの先端部の形状をした係合部が設けられており、
前記ネジを前記コア体のネジ挿通孔に、前記拡径部の方から挿入すると、前記ネジの頭部は前記拡径部に係止すると共に前記ネジの先端部は前記コア体から突き出、この状態で前記コア体の雄ネジに前記キャップ体の雌ネジを螺合すると、前記キャップ体の係合部は前記ネジの十字穴に係合すると共に、前記キャップと前記ネジが一体化されることを特徴とする、キャップとネジとの組合せ体。
【請求項２】
請求項１に記載のキャップにおいて、前記拡径部は皿穴状を呈していることを特徴とするキャップとネジの組合せ体。
【発明の詳細な説明】
【技術分野】
【０００１】
本発明は、ネジとキャップとの組合せ体に関するものであり、より詳しくは、組み合わされた状態になっていると、ドライバレスで壁、天井等にネジを取り付けることができ、そして取り外しもできるようになっている、ネジとその頭部に取り付けられるキャップとの組合せ体に関するものである。
【背景技術】
【０００２】
賞状、資格証、卒業証書等が入れられた額縁を壁に飾る場合、額縁の紐を掛けるフックを壁に取り付ける。また、額縁を載せることができるような適当な段部が壁に設けられていない場合には、額縁を支持する支持具も取り付ける必要がある。壁にホワイトボードを固定したり、カレンダーを吊り下げる場合には、所定の固定具やフックを壁に取り付ける必要があるし、帽子を掛ける帽子掛けを壁に取り付ける場合もある。このようなフック、支持具、固定具、帽子掛け等の壁取付部品は、木ネジによって壁に固定出来るようになっている。例えば、フック、帽子掛け等の壁取付部品には木ネジを挿入する孔が明けられており、木ネジを孔に通して、ドライバによって木ネジを締めつけると、壁取付部品は壁に取り付けることができる。もしくは、壁取付部品には木ネジが埋め込まれてネジ部だけが外部に露出しているタイプもある。このようなタイプの壁取付部品は手で回転させて壁に取り付けることができる。前者のタイプをネジ無し型、後者のタイプをネジ一体型と分類することもできる。
【先行技術文献】
【特許文献】
【０００３】
【特許文献１】実開平６−８２４１９号公報
【０００４】
本発明と直接関係はないが、特許文献１には壁に取り付けることができる、十字穴付フックネジが記載されている。十字穴付フックネジは、物を吊り下げることができるフック部と、フック部に連続して設けられているネジ部とから構成され、フック部の頂部に十字穴が設けられている。特許文献１に記載の十字穴付フックネジは、プラスドライバを十字穴に係合させて回転することもできるし、フック部を手で持って回転することもでき、いずれの方法によって回転しても壁に取り付けることができる。このような十字穴付フックネジもネジ一体型の壁取付部品に分類することができる。
【０００５】
壁取付部品は、前記した以外にも色々な種類が用意され、色々な大きさのもの、色々なデザインのものが提供されているので、用途および好みに応じて適宜選択することができる。そして、このような壁取付部品はインテリアを構成することになるので、美観を損なわないように配慮されている。例えば、ネジ無し型の壁取付部品の場合、壁取付部品と同じ色調の専用の木ネジが付属品として提供されている。従って、壁に取り付けられると壁取付部品と木ネジの頭部が同じ色調で統一されることになるので、美観に優れている。
【０００６】
ところで、壁取付部品を壁に取り付けるとき、取り付けに適した場所がある。すなわち、壁にはその裏側、つまり背部に木材からなる複数の桟が格子状に設けられており、このような桟がある位置に壁取付部品を取り付けるようにする。そうすると、木ネジを桟に締めつけることができるので、壁取付部品をしっかりと固定することができる。また、壁に梁が露出している場合には、梁も取り付けに適した部分である。さらには、柱を傷つけることにはなるが、しっかりと取り付けることが可能であるので、柱も取付に適した部分ということができる。
【発明の概要】
【発明が解決しようとする課題】
【０００７】
上記したような従来のフック、支持具、固定具等の壁取付部品も、色々な種類や大きさ、色々なデザインのものが提供されているので、用途や好みに応じて適当なものを選択して壁に取り付けることができる。しかしながら、解決すべき課題も見受けられる。例えば、ネジ無し型の壁取付部品の場合、壁に取り付けるときや取り外すとき、格別にドライバが必要になる。一人暮らしの場合や住人が女性だけの場合、ドライバを所有していなかったり、ドライバの保管場所が分からなくなっていることもある。そうすると、格別にドライバを購入しないと壁取付部品を壁に取り付けることができない。また、ドライバの使用に慣れてない作業者、あるいは非力な作業者の場合、ドライバをネジ山に十分に係合させないでネジを締めつけてしまって、ネジ山が潰れてしまうことがある。従って、格別にドライバによって取り付ける必要があるネジ無し型の壁取付部品は使い勝手に問題がある。
【０００８】
ネジ一体型にも問題が認められる。ネジ一体型の壁取付部品について、フックを例として説明すると、フックをしっかりと取り付けるためには、ネジ部を完全に壁に締めつける必要がある。しかしながら、ネジ部が完全に締めつけられたときに、フックの向きが必ずしも適切な向きになっているとは限らない。フックの向きを適切な向きにするには、ネジ部を弛めなければならない場合もあり、取付が不十分になる可能性がある。つまり、取付位置を最適にすると、必ずしも十分な取付強度が得られないという問題がある。
【０００９】
ネジ無し型とネジ一体型に共通の問題も見受けられ、取付場所に合った最適な木ネジを適宜選択できないという問題がある。前記したように、木ネジは壁の背部に桟がある場所に締めつけると、木ネジが桟に食い込むので好ましい。しかしながら壁板の板厚が厚い場合、通常の長さの木ネジでは桟に十分に締めつけることができない。そうすると、壁取付部品をしっかりと固定することができない。また、露出している梁や柱に木ネジを締めつける場合、このような部材は比較的固いことが多いので、通常よりも短く細いネジでも十分に締めつけることができる。このような部材に、通常の長さや太さの木ネジを締めつけようとすると、締めつけ作業が大変であるし、部材を必要以上に傷つけてしまう。このように、壁取付部品に付属している木ネジ、あるいは壁取付部品に埋め込まれている木ネジが、取付場所に適した長さと太さを備えていないと、壁取付部品を利用することができない。特殊な木ネジを選択したい場合もある。例えば、壁の桟がない部分に壁取付部品を取り付けなければならないときは、壁板に木ネジを締めつけなければならない。壁板は石膏ボード、厚ベニヤ板等の色々な板材から構成されており、板材によっては一般的な木ネジでは締めつけが難しく、特殊な木ネジを選択する必要がある。壁がコンクリートやタイルから構成されている場合にも専用のアンカーと特殊な木ネジが必要になる。このような場合においても、従来の壁取付部品は木ネジを選択することができないので、利用することができない。
【００１０】
本発明は、上記したような従来の問題を解決した、ネジとキャップとの組合せ体を提供することを目的としている。具体的には、キャップが壁取付部品、あるいは壁取付部品の一部を構成するようになっており、ネジと一体化されると、ドライバ無しで壁に取り付けることができ、ネジ山を潰すこともなく、取り付ける部分に応じて適切なネジを選択することができ、従って、壁取付部材を適切に壁に取り付けることができる、ネジとその頭部に取り付けられるキャップとの組合せ体を提供することを目的としている。
【課題を解決するための手段】
【００１１】
本発明は、上記目的を達成するために、ネジとネジの頭部に取り付けられるキャップとの組合せ体として構成する。このキャップは、コア体とキャップ体とから構成する。そしてコア体には外周面に雄ネジを、キャップ体には内周面に雌ネジをそれぞれ形成し、互いに螺合させると一体化できるようになっている。コア体には軸心方向にネジ挿通孔を明け、その開口部には皿穴状の拡径部を設ける。そして、キャップ体の内側の底面には、プラスドライバの先端部の形状をした係合部を設ける。頭部に十字穴が形成されているネジを、コア体に拡径部の方から挿入して、コア体にキャップ体を螺合させる。そうすると、ネジは頭部が拡径部に係止して先端部がコア体から突き出、キャップ体の係合部はネジの十字穴に係合し、キャップとネジは一体化する。
【００１２】
かくして、請求項１に記載の発明は、外周面に雄ネジが形成されているコア体と、内周面に雌ネジが形成されているキャップ体とからなるキャップと、頭部に十字穴が形成されているネジとの組合せ体であって、前記コア体の軸心方向には、ネジ挿通孔が明けられていると共に、前記ネジ挿通孔の開口部には拡径部が形成されており、前記キャップ体の内側の底面には、プラスドライバの先端部の形状をした係合部が設けられており、前記ネジを前記コア体のネジ挿通孔に、前記拡径部の方から挿入すると、前記ネジの頭部は前記拡径部に係止すると共に前記ネジの先端部は前記コア体から突き出、この状態で前記コア体の雄ネジに前記キャップ体の雌ネジを螺合すると、前記キャップ体の係合部は前記ネジの十字穴に係合すると共に、前記キャップと前記ネジが一体化されることを特徴とする、キャップとネジとの組合せ体として構成される。
そして、請求項２に記載の発明は、請求項１に記載のキャップにおいて、前記拡径部は皿穴状を呈していることを特徴とするキャップとネジの組合せ体として構成される。
【発明の効果】
【００１３】
以上のように、本発明によると、コア体とキャップ体とからなるキャップと、頭部に十字穴が形成されているネジとの組合せ体として構成されているので、すなわちネジとキャップとが一体化された組合せ体として構成されているので、ドライバを使うことなく、キャップを手でもって回すだけでネジを壁、天井に取り付けることができる。つまり、使い勝手に優れている。そして、このようなキャップは、当然に帽子掛けや洋服掛けの形状、または所定のフック状に形成して、壁取付部品として構成することができる。また、他の部品と共に壁取付部品を構成するようにしてもよい。すなわち、フック部が設けられている所定の部品を壁面に固定する留め具としてキャップを利用することもできる。また、キャップは任意のネジと組み合わせることができるので、取付場所に適した長さや太さのネジを適宜選択して組み合わせることが可能になるし、特殊な形状のネジであっても組み合わせることが可能になる。そうすると、取付場所の制約を受けることがないという本発明に特有の効果が得られる。そして本発明によると、コア体の軸心方向にはネジ挿通孔が明けられていて、その開口部には拡径部が形成されている。キャップ体の内側の底面には、プラスドライバの先端部の形状をした係合部が設けられている。そして、ネジをコア体のネジ挿通孔に挿入してキャップ体をコア体に螺合させてキャップとして一体化させるとキャップ体の係合部はネジの十字穴に係合する。従って、ネジはキャップのなかで空回りすることはない。そうすると、キャップを手で回してネジを壁に締めつけるとき、ネジ山が潰れるおそれもなく、しっかりと締めつけることができる。
【図面の簡単な説明】
【００１４】
【図１】本発明の実施の形態に係るキャップを構成しているコア体とキャップ体をそれぞれ模式的に示す斜視図である。
【図２】本発明の実施の形態に係るキャップとネジとからなる組合せ体を模式的に示す斜視図である。
【図３】本発明の実施の形態に係るキャップとネジの組合せ体である、帽子掛けを示す断面図である。
【図４】本発明の実施の形態に係るキャップとネジの組合せ体を説明する図で、その（ア）は額縁の紐を掛けるフックの断面図、その（イ）はフック金具の正面図、その（ウ）は額縁を支持する額縁支えの断面図、その（エ）は支持用金具の正面図、その（オ）は支持用金具固定部材の斜視図である。
【図５】本発明の実施の形態に係るキャップとネジの組合せ体によって、カレンダーを壁に留めている様子を示す断面図である。
【発明を実施するための形態】
【００１５】
以下、本発明の実施の形態に係るキャップとネジの組合せ体について説明する。本実施の形態に係るキャップ１は、図１に示されているように、コア体２と、このコア体２と一体化されるキャップ体３とから構成されている。本実施の形態においては、コア体２もキャップ体３も一部を除いて樹脂材料から形成されており、所定の金型から射出成形によって成形されている。
【００１６】
コア体２は、全体が略円柱状を呈しており、底面の円の直径に比して高さは低い。そして円柱の下方には、径が大きくなっている段部４が形成され、それによって円柱の外周面５と段部４の間には、肩部７が形成されている。この肩部７は、後で説明するようにキャップ体３が取り付けられたときに、キャップ体３が当接する部分であり、段部４はキャップ体３と共にキャップ１の外周面を形成することになる。円柱の外周面５には雄ネジ６が形成され、キャップ体３が螺合するようになっている。コア体２の円形の上面８には、円柱の軸心方向を貫通する孔、すなわちネジ挿通孔９が明けられている。ネジ挿通孔９は、皿ネジ３０が挿入される孔であり、ネジ挿通孔９と円柱の外周面５は同心円の関係になっている。ネジ挿通孔９の開口部にはテーパ状、あるいは皿穴状を呈した拡径部１１が形成されており、皿ネジ３０がネジ挿通孔９に挿入されたとき頭部３１が係止されることになる。
【００１７】
キャップ体３は、円筒の一方の端部が底面によって閉鎖された形状を呈している。キャップ体３の肉厚は、コア体２の肩部７の幅と等しく、キャップ体３の端面１３は肩部７に当接する面になっている。キャップ体３の内周面１４には、雌ネジ１５が形成されている。この雌ネジ１５は、コア体２の雄ネジ６と螺合することになる。このようなキャップ体３の内側の底面１７には、その中心に鋼材からなる係合部１８が露出している。係合部１８はプラスドライバの先端部の形状を呈しており、皿ネジ３０の頭部３１に形成されている十字穴３２に係合することになる。このような係合部１８は、実際には所定の鋼材部品の一部になっている。つまり、鋼材部品は、図１には全体は示されていないが、円盤状の土台部と土台部の中心から立ち上がるように形成されている係合部１８とからなり、土台部は樹脂中に埋められている。あるいは土台部は樹脂によって覆われている。従って、鋼材部品は樹脂と一体化しており、係合部１８に強いトルクがかかっても、係合部１８は底面７から分離することはない。
【００１８】
本実施の形態にかかるキャップ１とネジ３０の組合せ体Ｃは、次のようにして組み立てられる。皿ネジ３０の先端を、コア体２のネジ挿通孔９に、拡径部１１の方から挿入する。そうすると、皿ネジ３０の頭部３１は拡径部１１に当接し、皿ネジ３０の先端部３３はコア体２から突き出る。コア体２にキャップ体３を取り付ける。すなわち、コア体２の雄ネジ６にキャップ体３の雌ネジ１５を螺合させる。そうすると、係合部１８は皿ネジ３０の十字穴３２に係合し、キャップ１とネジ３０は一体化する。一体化したキャップ１とネジ３０の組合せ体Ｃが図２に示されている。
【００１９】
壁取付部品の一例である帽子掛けによって、本実施の形態にかかるキャップとネジの組合せ体の作用を説明する。図３には、キャップ１ａ全体が帽子掛け４０になっている、組合せ体Ｃａが断面で示されている。このような組合せ体Ｃａは、既に説明したような方法によってコア体２ａとキャップ体３ａからなるキャップ１ａと、ネジとから組み立てられている。図３にはネジは示されていない。帽子掛け４０を取り付ける箇所を決定する。必要に応じてキリ、ドリル等によって壁Ｋに下穴を明ける。この組合せ体Ｃａのキャップ１ａを手に持って、壁Ｋにネジを突き立てる。あるいは下穴に差し込む。組合せ体Ｃａを回す。そうするとネジは空回りすることなくキャップ１ａと一体となって回転して、壁Ｋに締めつけられる。キャップ１ａを引き続き回転すると、図３に示されているように、この組合せ体Ｃａが壁Ｋに取り付けられる。すなわち、帽子掛け４０が壁Ｋに取り付けられる。本実施の形態に係るキャップとネジの組合せ体Ｃａは、ドライバを使用することなく容易に壁Ｋに取り付けることができる。
【００２０】
本発明の他の実施の形態に係るキャップとネジとの組合せ体について説明する。図４には、壁取付部品の他の例である、額縁用の壁取付部品５１、５２が示されている。額縁用の壁取付部品は、額縁に設けられている紐を引っかけるフック５１と、額縁の下縁を支持する額縁支え５２とから構成されており、フック５１は図４の（ア）に、額縁支え５２は図４の（ウ）に示されている。フック５１は、図４の（イ）に示されているフック金具５３と、本実施の形態に係るキャップ１ｂとネジとの組合せ体Ｃｂとから構成されている。図４にはネジは示されていない。フック金具５３には、取付用の穴５４が明けられており、組合せ体Ｃｂのキャップ１ｂには、根元に所定の段部５５が形成されている。この穴５４の径は段部５５の径よりもわずかに大きい。従って、組合せ体Ｃｂによってフック金具５３を壁Ｋに取り付けるとき、取付用の穴５４が段部５５に所定の遊びを持って嵌められることになり、フック金具５３は段部５５を中心として回転することができる。そうすると、フック金具５３のフックの部分は、重力によって下方に位置することになる。
【００２１】
額縁支え５２は、図４の（エ）に示されている支持用金具５７と、図４の（オ）に示されている支持用金具固定部材６１と、取付ネジ５８と、本実施の形態に係るキャップ１ｃとネジの組合せ体Ｃｃとから構成されている。このキャップ１ｃは、コア体２ｃとキャップ体３ｃとが一体化された状態において、これらの間に所定の隙間６２が形成されている。この隙間６２は取付ネジ５８が入れられる切欠になっている。支持用金具５７はＬ字型を呈しており、金具が直角に折れて立ち上がっている部分は、額縁に傷が付かないようにシリコンゴムからなる保護カバー５９によって被覆されている。このような支持用金具５７には、取付ネジ５８のネジ部が入れられるスリット６０が明けられている。支持用金具固定部材６１は樹脂から形成されており、キャップ１ｃに嵌められるようになっている。支持用金具固定部材６１の外周面には傾斜部６３が設けられ、その上部には溝６４が形成され、支持用金具５７をスライド可能に取り付けることができるようになっている。また傾斜部６３の側方の端部にも溝６５が形成されており、額縁を後から押さえる補助金具６６を取り付けることが出来るようになっている。額縁支え５２の取り付けは、まず、キャップ１ｃとネジの組合せ体Ｃｃを壁Ｋに取り付ける。このキャップ１ｃに、支持用金具固定部材６１を嵌める。次いで、支持用金具５７を支持用金具固定部材６１の溝６４に置く。支持用金具固定部材６１には、雌ネジが形成されたネジ穴が明けられており、取付ネジ５８を支持用金具５７のスリット６０に通して、このネジ穴に締め付ける。そうすると取付ネジ５８の先端はキャップ１ｃの隙間６２に位置することになり、支持用金具固定部材６１と支持用金具５７は、しっかりと組合せ体Ｃｃに取り付けられることになる。補助用金具６６を支持用金具固定部材６１の溝６５に差し込む。以上のようにして、額縁支え５２が取り付けられる。なお、支持用金具５７にはスリット６０が明けられているので、取付ネジ５８を弛めると支持用金具５７を前後にスライドさせることができる。額縁の厚さに応じて適切な位置を選択し、取付ネジ５８を締め付ける。
【００２２】
壁が石膏ボードから形成されている場合、桟の位置を特定できない場合がある。そうすると、ネジを桟に締めつけることができない場合が多い。このような場合には市販されているネジ用アンカーを利用することができる。ネジ用アンカーの雄ネジは、薄く面積が大きい羽根状に形成されている。従って、石膏ボードを崩さないようにして、石膏ボード中に固定することができる。石膏ボードからなる壁に、従来周知の方法によってネジ用アンカーを取り付ける。本実施の形態に係るキャップとネジの組み立て体を、このネジ用アンカーに対して締めつける。そうすると、石膏ボードからなる壁にもしっかりと取り付けることができる。ネジは、ネジ用アンカーに対して締め付けに適した太さ、長さのものを選択することが好ましい。本実施の形態に係るキャップとネジの組合せ体は自由にネジを選択することができるので、ネジ用アンカーに適合したネジを適宜選択することができる。なお石膏ボードを例に説明したが、コンクリートやタイルから壁が構成されている場合には、市販されているコンクリート用のネジ用アンカーを利用することもできる。
【００２３】
本実施の形態に係るキャップとネジの組合せ体は、カレンダーの留め具としても利用できる。図５には、このような利用例が示されている。壁Ｋは石膏ボードからなり、予めネジ用アンカー７０が周知の方法によって埋め込まれている。本実施の形態に係るキャップ１ｄとネジ７１の組合せ体Ｃｄを手で持って、ネジ７１をカレンダー７２の吊り下げ用の穴７３に通し、そして、回転してネジ用アンカー７０に締め付ける。そうするとカレンダー７２を壁Ｋにしっかりと留めることができる。カレンダー７２を新しいカレンダーに交換する場合には、組合せ体Ｃｄを手で回して取り外すことができる。新しいカレンダーを壁に留めるときも、このネジ用アンカー７０と組合せ体Ｃｄを再利用することができる。
【００２４】
本発明は、上記実施の形態に限定されることなく色々な形で実施できる。例えば、キャップは樹脂から形成されているように説明されているが、他の素材から形成されていてもよく、アルミ合金からダイキャスト成形によって形成されていてもよい。また、プラスドライバの先端状を呈する係合部を備えた鋼材部品は、その土台部がキャップ体を構成している樹脂に埋められているように説明されているが、必ずしも樹脂に埋められている必要はない。例えば、キャップ体の底面に所定の溝を形成しておき、鋼材部品の土台部をこの溝に嵌め込むようにしてもよい。さらには、キャップの形状についても変形が可能であり、キャップは円筒状に形成されている必要はない。例えばキャップを、フック状に形成するとキャップ自体が洋服掛けとしての壁取付部品を構成することになる。取り付けられる場所に関しても変形が可能である。例えば、上記した説明ではキャップとネジの組合せ体は、壁取付部品として、あるいは壁取付部品の一部として使用されるように説明されているが、天井に取り付けられる天井取付部材として使用されてもよいし、他の用途に使用されてもよい。
【符号の説明】
【００２５】
１    キャップ                    ２    コア体
３    キャップ体                  ４    段部
５    外周面                      ６    雄ネジ
７    肩部                        ８    上面
９    ネジ挿通孔                １１    拡径部
１３    端面                      １４    内周面
１５    雄ネジ                    １７    底面
１８    係合部
【図１】
2011163378.tif 000003
【図２】
2011163378.tif 000004
【図３】
2011163378.tif 000005
【図４】
2011163378.tif 000006
【図５】
2011163378.tif 000007
【手続補正書】
【提出日】平成22年7月5日(2010.7.5)
【手続補正１】
【補正対象書類名】特許請求の範囲
【補正対象項目名】請求項１
【補正方法】変更
【補正の内容】
【請求項１】
外周面に雄ネジが形成されているコア体と、内周面に雌ネジが形成されているキャップ体とからなるキャップと、頭部に十字穴が形成されている木ネジとの組合せ体であって、
前記コア体の軸心方向には、ネジ挿通孔が明けられていると共に、前記ネジ挿通孔の開口部には拡径部が形成されており、
前記キャップ体の内側の底面には、鋼材からなり、プラスドライバの先端部の形状をした係合部が設けられており、
前記木ネジを前記コア体のネジ挿通孔に、前記拡径部の方から挿入すると、前記木ネジの頭部は前記拡径部に係止すると共に前記木ネジの先端部は前記コア体から突き出、この状態で前記コア体の雄ネジに前記キャップ体の雌ネジを螺合すると、前記キャップ体の係合部は前記木ネジの十字穴に係合すると共に、前記キャップと前記木ネジが一体化され、それによってドライバなしで前記木ネジを壁、天井等の取付場所に取り付けることができるようになっていることを特徴とする、キャップとネジとの組合せ体。
【手続補正２】
【補正対象書類名】明細書
【補正対象項目名】００１２
【補正方法】変更
【補正の内容】
【００１２】
かくして、請求項１に記載の発明は、外周面に雄ネジが形成されているコア体と、内周面に雌ネジが形成されているキャップ体とからなるキャップと、頭部に十字穴が形成されている木ネジとの組合せ体であって、前記コア体の軸心方向には、ネジ挿通孔が明けられていると共に、前記ネジ挿通孔の開口部には拡径部が形成されており、前記キャップ体の内側の底面には、鋼材からなり、プラスドライバの先端部の形状をした係合部が設けられており、前記木ネジを前記コア体のネジ挿通孔に、前記拡径部の方から挿入すると、前記木ネジの頭部は前記拡径部に係止すると共に前記木ネジの先端部は前記コア体から突き出、この状態で前記コア体の雄ネジに前記キャップ体の雌ネジを螺合すると、前記キャップ体の係合部は前記木ネジの十字穴に係合すると共に、前記キャップと前記木ネジが一体化され、それによってドライバなしで前記木ネジを壁、天井等の取付場所に取り付けることができるようになっていることを特徴とする、キャップとネジとの組合せ体として構成される。
そして、請求項２に記載の発明は、請求項１に記載のキャップにおいて、前記拡径部は皿穴状を呈していることを特徴とするキャップとネジの組合せ体として構成される。
【手続補正書】
【提出日】平成22年12月7日(2010.12.7)
【手続補正１】
【補正対象書類名】特許請求の範囲
【補正対象項目名】請求項１
【補正方法】変更
【補正の内容】
【請求項１】
外周面に雄ネジが形成されているコア体と、内周面に雌ネジが形成されているキャップ体とからなるキャップと、頭部に十字穴が形成されている木ネジとの組合せ体であって、
前記コア体の軸心方向には、ネジ挿通孔が明けられていると共に、前記ネジ挿通孔の開口部には拡径部が形成されており、
前記キャップ体の内側の底面には、鋼材からなり、プラスドライバの先端部の形状をした係合部が設けられており、
前記木ネジを前記コア体のネジ挿通孔に、前記拡径部の方から挿入すると、前記木ネジの頭部は前記拡径部に係止すると共に前記木ネジの先端部は前記コア体から突き出、この状態で前記コア体の雄ネジに前記キャップ体の雌ネジを螺合すると、前記キャップ体の係合部は前記木ネジの十字穴に係合すると共に、前記キャップと前記木ネジが一体化され、それによって前記キャップを手でもって回して前記木ネジを壁、天井等の取付場所に取り付けたり、取付場所から取り外したりできるようになっていることを特徴とする、キャップとネジとの組合せ体。
【手続補正２】
【補正対象書類名】明細書
【補正対象項目名】００１２
【補正方法】変更
【補正の内容】
【００１２】
かくして、請求項１に記載の発明は、外周面に雄ネジが形成されているコア体と、内周面に雌ネジが形成されているキャップ体とからなるキャップと、頭部に十字穴が形成されている木ネジとの組合せ体であって、前記コア体の軸心方向には、ネジ挿通孔が明けられていると共に、前記ネジ挿通孔の開口部には拡径部が形成されており、前記キャップ体の内側の底面には、鋼材からなり、プラスドライバの先端部の形状をした係合部が設けられており、前記木ネジを前記コア体のネジ挿通孔に、前記拡径部の方から挿入すると、前記木ネジの頭部は前記拡径部に係止すると共に前記木ネジの先端部は前記コア体から突き出、この状態で前記コア体の雄ネジに前記キャップ体の雌ネジを螺合すると、前記キャップ体の係合部は前記木ネジの十字穴に係合すると共に、前記キャップと前記木ネジが一体化され、それによって前記キャップを手でもって回して前記木ネジを壁、天井等の取付場所に取り付けたり、取付場所から取り外したりできるようになっていることを特徴とする、キャップとネジとの組合せ体として構成される。
そして、請求項２に記載の発明は、請求項１に記載のキャップにおいて、前記拡径部は皿穴状を呈していることを特徴とするキャップとネジの組合せ体として構成される。
【手続補正書】
【提出日】平成23年4月18日(2011.4.18)
【手続補正１】
【補正対象書類名】特許請求の範囲
【補正対象項目名】請求項１
【補正方法】変更
【補正の内容】
【請求項１】
外周面に雄ネジが形成されている円柱状のコア体と内周面に前記コア体の雄ネジに螺合する雌ネジが形成されているキャップ体とからなるキャップと、頭部に十字穴が形成されている木ネジとの組合せ体であって、
前記コア体の円形の上面には軸心方向に貫通するネジ挿通孔が明けられていると共に、前記ネジ挿通孔の開口部には拡径部が形成されており、
前記キャップ体の内側の底面には、前記木ネジの十字穴に係合する鋼材からなる係合部が円盤状の土台部の中心から立ち上がるように形成されており、
前記木ネジを前記コア体のネジ挿通孔に、前記拡径部の方から挿入すると、前記木ネジの頭部は前記拡径部に係止すると共に前記木ネジの先端部は前記コア体から突き出、この状態で前記コア体の雄ネジに前記キャップ体の雌ネジを螺合すると、前記キャップ体の係合部は前記木ネジの十字穴に係合すると共に、前記キャップと前記木ネジが一体化されることを特徴とする、キャップとネジとの組合せ体。
【手続補正３】
【補正対象書類名】明細書
【補正対象項目名】０００１
【補正方法】変更
【補正の内容】
【０００１】
本発明は、木ネジとキャップとの組合せ体に関するものであり、より詳しくは、組み合わされた状態になっていると、ドライバレスで壁、天井等に木ネジを取り付けることができ、そして取り外しもできるようになっている、木ネジとその頭部に取り付けられるキャップとの組合せ体に関するものである。
【手続補正４】
【補正対象書類名】明細書
【補正対象項目名】００１０
【補正方法】変更
【補正の内容】
【００１０】
本発明は、上記したような従来の問題を解決した、木ネジとキャップとの組合せ体を提供することを目的としている。具体的には、キャップが壁取付部品、あるいは壁取付部品の一部を構成するようになっており、木ネジと一体化されると、ドライバ無しで壁に取り付けることができ、頭部の十字穴を潰すこともなく、取り付ける部分に応じて適切な木ネジを選択することができ、従って、壁取付部材を適切に壁に取り付けることができる、木ネジとその頭部に取り付けられるキャップとの組合せ体を提供することを目的としている。
【手続補正５】
【補正対象書類名】明細書
【補正対象項目名】００１１
【補正方法】変更
【補正の内容】
【００１１】
本発明は、上記目的を達成するために、木ネジと該木ネジの頭部に取り付けられるキャップとの組合せ体として構成する。このキャップは、コア体とキャップ体とから構成する。そして、コア体には外周面に雄ネジを、キャップ体には内周面に雌ネジをそれぞれ形成し、互いに螺合させると一体化できるようになっている。コア体には軸心方向にネジ挿通孔を明け、その開口部には皿穴状の拡径部を設ける。そして、キャップ体の内側の底面には、プラスドライバの先端部の形状をした鋼材からなる係合部を設ける。頭部に十字穴が形成されている木ネジを、コア体に拡径部の方から挿入して、コア体にキャップ体を螺合させる。そうすると、木ネジは頭部が拡径部に係止して先端部がコア体から突き出、キャップ体の係合部は木ネジの十字穴に係合し、キャップと木ネジは一体化される。
【手続補正６】
【補正対象書類名】明細書
【補正対象項目名】００１２
【補正方法】変更
【補正の内容】
【００１２】
かくして、請求項１に記載の発明は、外周面に雄ネジが形成されている円柱状のコア体と内周面に前記コア体の雄ネジに螺合する雌ネジが形成されているキャップ体とからなるキャップと、頭部に十字穴が形成されている木ネジとの組合せ体であって、前記コア体の円形の上面には軸心方向に貫通するネジ挿通孔が明けられていると共に、前記ネジ挿通孔の開口部には拡径部が形成されており、前記キャップ体の内側の底面には、前記木ネジの十字穴に係合する鋼材からなる係合部が円盤状の土台部の中心から立ち上がるように形成されており、前記木ネジを前記コア体のネジ挿通孔に、前記拡径部の方から挿入すると、前記木ネジの頭部は前記拡径部に係止すると共に前記木ネジの先端部は前記コア体から突き出、この状態で前記コア体の雄ネジに前記キャップ体の雌ネジを螺合すると、前記キャップ体の係合部は前記木ネジの十字穴に係合すると共に、前記キャップと前記木ネジが一体化されることを特徴とする、キャップとネジとの組合せ体として構成される。
そして、請求項２に記載の発明は、請求項１に記載の組合せ体において、前記木ネジの拡径部は皿穴状を呈していることを特徴とするキャップとネジの組合せ体として構成される。
【手続補正７】
【補正対象書類名】明細書
【補正対象項目名】００１３
【補正方法】変更
【補正の内容】
【００１３】
以上のように、本発明によると、コア体とキャップ体とからなるキャップと、頭部に十字穴が形成されている木ネジとの組合せ体として構成されているので、すなわち木ネジとキャップとが一体化される組合せ体として構成されているので、ドライバを使うことなく、キャップを手でもって回すだけでネジを壁、天井に取り付けることができる。つまり、使い勝手に優れている。そして、このようなキャップは、当然に帽子掛けや洋服掛けの形状、または所定のフック状に形成して、壁取付部品として構成することができる。また、他の部品と共に壁取付部品を構成するようにしてもよい。すなわち、フック部が設けられている所定の部品を壁面に固定する留め具としてキャップを利用することもできる。また、キャップは任意の木ネジと組み合わせることができるので、取付場所に適した長さや太さのネジを適宜選択して組み合わせることが可能になるし、特殊な形状のネジであっても組み合わせることが可能になる。そうすると、取付場所の制約を受けることがないという本発明に特有の効果が得られる。そして本発明によると、コア体の軸心方向にはネジ挿通孔が明けられていて、その開口部には拡径部が形成されている。キャップ体の内側の底面には、プラスドライバの先端部の形状をした係合部が設けられている。また、木ネジをコア体のネジ挿通孔に挿入してキャップ体をコア体に螺合させてキャップとして一体化させると、キャップ体の係合部はネジの十字穴に係合する。従って、木ネジはキャップのなかで空回りすることはない。したがって、キャップを手で回して木ネジを壁に締めつけるとき、木ネジの頭部の十字穴を潰すこともなく、しっかりと締めつけることができる。
【手続補正８】
【補正対象書類名】明細書
【補正対象項目名】００１４
【補正方法】変更
【補正の内容】
【００１４】
【図１】本発明の実施の形態に係るキャップを構成しているコア体とキャップ体を分離して模式的に示す斜視図である。
【図２】本発明の実施の形態に係るキャップとネジとからなる組合せ体を組立た状態で模式的に示す斜視図である。
【図３】本発明の実施の形態に係るキャップとネジの組合せ体を帽子掛けとして使用している状態を示す断面図である。
【図４】本発明の実施の形態に係るキャップとネジの組合せ体の各異なる使用状態を示す図で、その（ア）は額縁の紐を掛けるフックの断面図、その（イ）はフック金具の正面図、その（ウ）は額縁を支持する額縁支えの断面図、その（エ）は支持用金具の正面図、その（オ）は支持用金具固定部材の斜視図である。
【図５】本発明の実施の形態に係るキャップとネジの組合せ体によって、カレンダーを壁に留めている様子を示す断面図である。
【手続補正９】
【補正対象書類名】明細書
【補正対象項目名】００１７
【補正方法】変更
【補正の内容】
【００１７】
キャップ体３は、円筒の一方の端部が底面によって閉鎖された形状を呈している。キャップ体３の肉厚は、コア体２の肩部７の幅と等しく、キャップ体３の端面１３は肩部７に当接する面になっている。キャップ体３の内周面１４には、雌ネジ１５が形成されている。この雌ネジ１５は、コア体２の雄ネジ６と螺合することになる。このようなキャップ体３の内側の底面１７には、その中心に鋼材からなる係合部１８が露出している。係合部１８はプラスドライバの先端部の形状を呈しており、皿ネジ３０の頭部３１に形成されている十字穴３２に係合することになる。このような係合部１８は、実際には所定の鋼材部品の一部になっている。つまり、鋼材部品は、図１には全体は示されていないが、円盤状の土台部と土台部の中心から立ち上がるように形成されている係合部１８とからなり、土台部は樹脂中に埋められている。あるいは土台部は樹脂によって覆われている。従って、鋼材部品は樹脂と一体化しており、係合部１８に強いトルクがかかっても、係合部１８は底面１７から分離することはない。
【手続補正書】
【提出日】平成23年5月25日(2011.5.25)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
外周面に雄ネジが形成されている円柱状のコア体と内周面に前記コア体の雄ネジに螺合する雌ネジが形成されているキャップ体とからなるキャップと、頭部に十字穴が形成されている木ネジとの組合せ体であって、
前記コア体の円形の上面には軸心方向に貫通するネジ挿通孔が明けられていると共に、前記ネジ挿通孔の開口部には拡径部が形成されており、
前記キャップ体の内側の底面には、前記木ネジの十字穴に係合する鋼材からなる係合部が円盤状の土台部の中心から立ち上がるように形成されており、
前記木ネジを前記コア体のネジ挿通孔に、前記拡径部の方から挿入すると、前記木ネジの頭部は前記拡径部に係止すると共に前記木ネジの先端部は前記コア体から突き出、この状態で前記コア体の雄ネジに前記キャップ体の雌ネジを螺合すると、前記キャップ体の係合部は前記木ネジの十字穴に係合すると共に、前記キャップと前記木ネジが一体化されることを特徴とする、キャップとネジとの組合せ体。
【請求項２】
請求項１に記載のキャップにおいて、前記拡径部は皿穴状を呈していることを特徴とするキャップとネジの組合せ体。